(57)【要約】【課題】本発明の課題は、省電力化を図るため表示部が消灯された後、電池の残容量が所定値以下になった場合、ユーザに電池の交換時期が訪れたことを報知する。【解決手段】表示手段を１つだけ備えるデジタルカメラ１００において、制御部６は、所定時間毎に電源の残容量の検出を行い、検出された電池の残容量がメモリ５に設定されている第１の設定値以下になった場合、電池の残容量が残り少ないことを報知するメッセージと表示手段の表示を終了することを報知するメッセージを表示させた後に、カラー液晶表示部４を消灯する。また、電池の残容量が第２の設定値以下になった場合、撮影動作を禁止させ、電源部１１を制御して、カラー液晶表示部４に電源を供給させて、強制的にカラー液晶表示部４を点灯させる。そして、カラー液晶表示部４に電池の残容量がないことを報知する警告情報を表示させ、カラー液晶表示部４を消灯する。【選択図】　　　図２
2004069922.tif 000002
【特許請求の範囲】
【請求項１】
被写体の画像データ及び撮影動作に関する情報を表示する表示手段を備える撮影装置であって、
前記表示手段に電源を供給する電池の残容量を検出する残容量検出手段と、
第１の設定値及び第２の設定値を記憶する記憶手段と、
前記残容量検出手段により検出された電池の残容量が第１の設定値以下であるか、第２の設定値以下であるかを判別する判別手段と、
前記判別手段により、前記電池の残容量が第１の設定値以下であると判別された場合に、前記表示手段へ電源を供給させない制御を行い、前記電池の残容量が第２の設定値以下であると判別された場合に、前記表示手段へ電源を供給させる制御を行う制御手段と、
を備えることを特徴とする撮影装置。
【請求項２】
前記記憶手段に記憶される第１の設定値は、第２の設定値より大きい値であることを特徴とする請求項１記載の撮影装置。
【請求項３】
前記表示手段は、１つだけ備えられることを特徴とする請求項１記載の撮影装置。
【請求項４】
前記判別手段により、前記電池の残容量が第１の設定値以下であると判別された場合に、表示手段への電源の供給を停止させることを報知する警告情報を表示させる表示制御手段を備えることを特徴とする請求項１記載の撮影装置。
【請求項５】
前記判別手段により、前記電池の残容量が第２の設定値以下であると判別され、前記制御手段により、前記表示手段への電源が供給された場合に、電池の残容量がないことを報知する警告情報を表示させる第２の表示制御手段を備えることを特徴とする請求項１又は４に記載の撮影装置。
【発明の詳細な説明】
【０００１】
【発明の属する技術分野】
本発明は、表示手段を備える撮影装置に関するものである。
【０００２】
【従来の技術】
近時、デジタルカメラの高機能化に伴い、装置本体に撮影モード、画質モード、電池残容量、残りコマ数等を含む撮影動作に関する情報を表示するためのデータ表示部と、ＣＣＤ（Ｃｈａｒｇｅ　Ｃｏｕｐｌｅｄ　Ｄｅｖｉｃｅ）により取得した撮影画像のデジタル画像データを表示するカラー液晶表示部とを備えるデジタルカメラが知られている。一方で、近年のデジタルカメラは、携帯性を向上させるため小型化、軽量化、薄型化することが望まれている。そこで、最近では装置本体にカラー液晶表示部のみを備え、このカラー液晶表示部に、撮影動作に関する情報と、被写体の画像データとを表示させることにより、筐体の小型化、軽量化、薄型化を実現している。
【０００３】
上記のようなカラー液晶表示部は、例えば、駆動電流の大きなバックライトを備えるため、カラー液晶表示部を駆動させる場合、デジタルカメラに備える電池を大量に消耗する。デジタルカメラに備える電池は、筐体の小型化を実現するため、必要最低限の容量により構成されており、長時間にわたりカラー液晶表示部を駆動させた場合、撮影を行うための電源が不足してしまう場合があった。そこで、デジタルカメラに内蔵される電池の残容量を検出し、電池の残容量が所定値以下になった場合、強制的にカラー液晶表示部の駆動を禁止させて、撮影機能に電源を供給することにより、電池の残容量が少なくなった場合でも、撮影が行えるデジタルカメラが開発されている。
【０００４】
【発明が解決しようとする課題】
しかしながら、上述したデジタルカメラにおいては、電池の残容量が所定値以下になった場合に、カラー液晶表示部の表示が消灯されてしまうため、さらに電池の残容量が低下し、撮影動作を行えなくなった場合に、ユーザに電池の残容量の低下により撮影動作が行えないことを報知する手段がないという問題があった。
【０００５】
本発明の課題は、省電力化を図るため表示部が消灯された後、電池の残容量が所定値以下になった場合、ユーザに電池の交換時期が訪れたことを報知する撮影装置を提供することである。
【０００６】
【課題を解決するための手段】
上記課題を解決するために、請求項１記載の発明は、
被写体の画像データ及び撮影動作に関する情報を表示する表示手段を備える撮影装置であって、
前記表示手段に電源を供給する電池の残容量を検出する残容量検出手段と、
第１の設定値及び第２の設定値を記憶する記憶手段と、
前記残容量検出手段により検出された電池の残容量が第１の設定値以下であるか、第２の設定値以下であるかを判別する判別手段と、
前記判別手段により、前記電池の残容量が第１の設定値以下であると判別された場合に、前記表示手段への電源を供給させない制御を行い、前記電池の残容量が第２の設定値以下であると判別された場合に、前記表示手段への電源を供給させる制御を行う制御手段と、
を備えることを特徴とする。
【０００７】
したがって、撮影装置に備えられる表示手段に電源を供給する電池の残容量が第１の設定値以下になり、表示手段へ電源が供給されなくなった場合であっても、さらに電池が消費され電池の残容量が第２の設定値以下になった場合、表示手段に電源を供給させることにより、強制的に表示手段を駆動させて、電池の残容量が殆どないことを警告することができる。
【０００８】
請求項２記載の発明は、請求項１記載の撮影装置において、
前記記憶手段に記憶される第１の設定値は、第２の設定値より大きい値であることを特徴とする。
【０００９】
したがって、例えば、第１の設定値を撮影動作が行える程度の電池の残容量に設定することにより、電池の残容量が少なくなった場合に電池の消費を節約して、効率良く撮影動作を行うようにすることができる。また、第２の設定値を表示手段が駆動できる程度の電池の残容量に設定することにより、電池の残容量が殆どなくなった場合に、ユーザに電池の残容量が殆どないことを報知することができる。
【００１０】
請求項３記載の発明は、請求項１記載の撮影装置において、
前記表示手段は、１つだけ備えられることを特徴とする。
【００１１】
したがって、他の表示手段を備えない撮影装置である場合、表示手段への電源が供給されなくなった後に、再度この表示手段を点灯させて、電池の残容量が殆どないことを報知する手段として活用することができる。
【００１２】
請求項４記載の発明は、請求項１記載の撮影装置において、
前記判別手段により、前記電池の残容量が第１の設定値以下であると判別された場合に、表示手段への電源の供給を停止させることを報知する警告情報を表示させる表示制御手段を備えることを特徴とする。
【００１３】
したがって、表示手段へ電源の供給しない制御を行う前に、警告情報を表示させることにより、電池の残容量が少ないことを警告できると共に、表示手段へ電源の供給を停止することを報知することができる。これにより、ユーザに表示手段が故障したと誤認識されることを防ぐことができる。
【００１４】
請求項５記載の発明は、請求項１又は４に記載の撮影装置において、
前記判別手段により、前記電池の残容量が第２の設定値以下であると判別され、前記制御手段により、前記表示手段への電源が供給された場合に、電池の残容量がないことを報知する警告情報を表示させる第２の表示制御手段を備えることを特徴とする。
【００１５】
したがって、電池の残容量が殆どなくなってしまった場合に、表示手段に警告情報を表示させることにより、ユーザに電池の交換を速やかに促すことができる。
【００１６】
【発明の実施の形態】
以下、図を参照して本発明の実施の形態を詳細に説明する。ただし、発明の範囲は、図示例に限定されない。
ここで、本発明に係る撮影装置と、本実施の形態におけるデジタルカメラ１００とにおける各構成要素の対応関係を明示する。すなわち、本発明における撮影装置の表示手段は、本実施の形態におけるデジタルカメラ１００のカラー液晶表示部４に対応し、本発明の記憶手段は、本実施の形態のメモリ５に対応している。また、本発明の残容量検出手段、判別手段、制御手段、表示制御手段、第２の表示制御手段は、本実施の形態の制御部６に対応している。
【００１７】
まず、構成を説明する。
図１は、本実施の形態のデジタルカメラ１００の外観構成を示す図である。図１（ａ）は、デジタルカメラ１００の正面斜視図であり、図１（ｂ）は、その背面斜視図である。図１（ａ）に示すように、デジタルカメラ１００の正面中央には、ストロボ１２、ファインダ１３、レンズ１、タイマー作動時に点灯するＬＥＤ１４ａ等が設けられ、これらを覆うためのバリア蓋１５がスライド自在に設けられている。また、左側下端には、電池蓋１６が設けられ、内部には、デジタルカメラ１００に電源を供給する電池が格納されている。
【００１８】
また、図１（ｂ）に示すように、デジタルカメラ１００の背面には、カラー液晶表示部４、電源キー、シャッタキー、メニューキー等から構成される入力部１０ａ〜１０ｆ、ファインダ１３、撮影時に点灯するＬＥＤ１４ｂが設けられている。なお、各構成部分の詳細については後述して説明する。
【００１９】
次に、図２を参照して、デジタルカメラ１００の内部構成について説明する。図２は、デジタルカメラ１００の要部構成を示すブロック図である。図２に示すように、デジタルカメラ１００は、レンズ１、ＣＣＤ２、信号処理部３、カラー液晶表示部４、メモリ５、制御部６、画像処理部７、Ｉ／Ｆ部８を介して接続される記録メディア９、入力部１０、電源部１１等を備えて構成され、記録メディア９を除く各部はバスにより接続されている。
【００２０】
レンズ１は、屈折光学素子を用いた単焦点レンズ、焦点距離を２段階に切り替えることができるダブルフォーカスレンズ、焦点距離を連続的に変えることができるズームレンズ等により構成される。このレンズ１は、外部から入力される光線束を収束させて、後述するＣＣＤ２の受光部に光学像を結像する。
【００２１】
ＣＣＤ（Ｃｈａｒｇｅ　Ｃｏｕｐｌｅｄ　Ｄｅｖｉｃｅ）２は、光（光子）の入力に応じて蓄電容量が変化する半導体素子（フォトダイオード等）の受光部に、転送電極を重ねた素子（画素）を平面状に多数配設した画素面と、各画素に蓄積された電荷を電圧に変換して出力する出力部とから構成される。レンズ１を介して入射した光は上記画素面で受光され、各画素には受光量に比例した電荷が蓄積される。各画素の蓄積電荷は、上記出力部により撮像信号（アナログ信号）として１画素分ずつ順次読み出され、信号処理部３に出力される。
【００２２】
信号処理部３は、アナログ信号をデジタル信号に変換するＡ／Ｄ変換器、ノイズを低減するためのＣＤＳ（相関二重サンプリング）回路、またはデジタル信号をアナログ信号に変換するＤ／Ａ変換器等を備え、ＣＣＤ２から入力されるアナログ画像信号をデジタル画像データに変換して各種信号処理を施し、処理結果をカラー液晶表示部４、制御部６、または画像処理部７に出力する。
【００２３】
カラー液晶表示部４は、バックライト（図示せず）を備える透過型又は半透過型の液晶表示装置により構成され、信号処理部３から入力される画像データに基づいて、表示画面にカラー画像を表示する。具体的には、カラー液晶表示部４は、ファインダとして、撮影時にレンズ１を介して撮りこんだ被写体のスルー画像及び撮影された被写体の画像データを表示するとともに、撮影後に記録メディア９に記録された画像データを再生表示する。また、カラー液晶表示部４は、撮影モード、画質モード、電池残容量、残りコマ数等のデジタルカメラ１００の撮影動作に関する情報を表示する。
【００２４】
メモリ５は、書き換え可能な半導体素子で構成されるＲＡＭ（Ｒａｎｄｏｍ　Ａｃｃｅｓｓ　Ｍｅｍｏｒｙ）、不揮発性の半導体メモリで構成されるＲＯＭ（Ｒｅａｄ　Ｏｎｌｙ　Ｍｅｍｏｒｙ）等から構成される。ＲＯＭは、カメラ１００の各部を制御するための各種制御プログラムのうち、書き換え不要な基本プログラムを格納している。また、ＲＯＭは、後述する第１の設定値及び第２の設定値を記憶している。ＲＡＭは、制御部６により各種制御処理が実行される際に、その制御処理を司るプログラムを展開し、処理される各種データ等を一時的に格納する。
【００２５】
制御部６は、メモリ５に記録されているデジタルカメラ１００に対応する各種プログラムの中から指定されたプログラム、入力部１０から入力される各種指示又はデータをメモリ５のワークエリアに展開し、この入力指示及び入力データに応じて上記プログラムに従って各種処理を実行し、その処理結果をメモリ５内の所定の領域に格納すると共に、カラー液晶表示部４に表示させる。
【００２６】
具体的に、制御部６は、メモリ５に格納される電源制御処理プログラムを読み出して、後述する電源制御処理（図３参照）を実行する。そこで、電源制御処理における制御部６の機能について説明する。この電源制御処理を実行するに際して、制御部６は、後述する電源検出回路１１ａを制御して、所定時間毎（例えば、１〜２秒毎）に電源を供給する電池に負荷を与えて電池の端子電圧を測定させ、この測定結果に基づいて電池の残容量を検出する。
【００２７】
また、制御部６は、検出した電池の残容量が第１の設定値以下であるか否かを判別し、電池の残容量が第１の設定値以下である場合、カラー液晶表示部４が点灯されているか否かを判別する。ここで、カラー液晶表示部４が点灯されている場合、電池の残容量が少ないこと及びカラー液晶表示部４を消灯することを報知するメッセージを含む警告情報をカラー液晶表示部４に表示する。そして、制御部６は、カラー液晶表示部４への電源供給を停止させる。
【００２８】
また、すでにカラー液晶表示部４が消灯されている場合、制御部６は、検出した電池の残容量が第２の設定値以下であるか否かを判断し、電池の残容量が第２の設定値以下である場合、撮影動作を禁止させると共に、電源部１１を制御してカラー液晶表示部４に電源を供給させる。また、制御部６は、カラー液晶表示部４を点灯させると、電池の残容量がないことを警告するメッセージを含む警告情報をカラー液晶表示部４に所定時間（例えば、２〜３秒間）表示させる。そして、制御部６は、カラー液晶表示部４への電源供給を停止させて、カラー液晶表示部４を消灯する。
【００２９】
なお、上述した第１の設定値、第２の設定値は、例えば、予めデフォルトにより設定され、メモリ５に記憶されている値であり、第１の設定値は、第２の設定値よりも高い値が設定されている。ここで、第１の設定値以下、第２の設定値以上における電池の残容量は、デジタルカメラ１００の撮影に係る駆動部（例えば、レンズ１、ＣＣＤ２、信号処理部３、メモリ５、画像処理部７等を駆動させるための駆動回路）に電源を供給して、撮影動作が行える程度の残容量が設定されている。また、第２の設定値は、カラー液晶表示部４に電源を供給して、２〜３秒間程度点灯させることが可能な程度の残容量が設定されている。
【００３０】
画像処理部７は、信号処理部３、または記録メディア９から入力される画像データに対して、階調変換、画素補間、色変換、ＹＣＣ変換、データ圧縮等の所定の画像処理を実行する。
【００３１】
Ｉ／Ｆ部８は、カメラ１００と記録メディア９を接続するためのインターフェースであり、カメラ１００と記録メディア９との間で、画像データ等の転送速度の調整や、データ形式の変換を行い、両者間のデータのやりとりを仲介する。
【００３２】
記録メディア９は、半導体素子にデータを電子的に保存する書き換え可能な不揮発性メモリにより構成され、各種処理により生成された画像データ及び撮影に関する情報をそれぞれ対応付けて記録する。
【００３３】
入力部１０は、電源キー、シャッタキー、メニューキー、選択キー、ズームキー等を備えて構成され、各種キーの押圧操作に応じた各種操作信号を生成して、制御部６へ出力する。
【００３４】
電源部１１は、アルカリ電池、マンガン電池、ボタン型電池等の１次電池、またはリチウム電池、ニッケル電池、ニカド電池等の２次電池を備えて構成され、電源が投入されると、制御部６の制御に応じて、電池のプラス側の端子及びマイナス側の端子から、デジタルカメラ１００の各部を駆動させる駆動回路（図示せず）に所定電圧の電源を供給する。
【００３５】
電源検出回路１１ａは、制御部６の制御に応じて、電源部１１の電池に負荷を与えて電池の端子電圧を測定し、この測定結果を制御部６に出力する。
【００３６】
次に、本実施の形態の動作を説明する。
なお、動作説明の前提として、以下のフローチャートに記述されている各処理を実現するためのプログラムは、デジタルカメラ１００の制御部６が読み取り可能なプログラムコードの形態でメモリ５に格納されており、制御部６は、当該プログラムコードに従った動作を逐次実行する。
【００３７】
図３は、制御部６により実行される電源制御処理を示すフローチャートである。図３に示すように、制御部６は、電源検出回路１１ａから出力される電池の測定電圧に応じて、電池の残容量の検出を行い（ステップＳ１）、検出された電池の残容量が第１の設定値以下であるか否かを判断する（ステップＳ２）。ここで、電池の残容量が第１の設定値以下でない場合（ステップＳ２；ＮＯ）、ステップＳ１に戻り、１〜２秒の間隔をおいて、再度電池の残容量の検出を行う。
【００３８】
一方、電池の残容量が第１の設定値以下である場合（ステップＳ２；ＹＥＳ）、制御部６は、カラー液晶表示部４が消灯されているか否かを判断する（ステップＳ３）。ここで、カラー液晶表示部４が消灯されていない場合（ステップＳ３；ＮＯ）、制御部６は、電池の残容量が第２の設定値以上、第１の設定値以下であると判断して、カラー液晶表示部４に電池の残容量が少ないため、カラー液晶表示部４を消灯する旨の警告情報を表示させる（ステップＳ８）。さらに、制御部６は、カラー液晶表示部４への電源供給を停止させ、カラー液晶表示部４を消灯する（ステップＳ９）。そして、制御部６は、ステップＳ１に移行して、電池の残容量の検出を行う。
【００３９】
また、ステップＳ３において、カラー液晶表示部４が消灯されている場合（ステップＳ３；ＮＯ）、制御部６は、検出された電池の残容量が第２の設定値以下であるか否かを判断する（ステップＳ４）。ここで、検出された電池の残容量が第２の設定値以下でない場合（ステップＳ４；ＮＯ）、電池の残容量が第２の設定値以上、第１の設定値以下であり、すでにカラー液晶表示部４が消灯されている状態であると判断して、ステップＳ１に移行して、電池の残容量を検出する。
【００４０】
一方、検出された電池の残容量が第２の設定値以下である場合（ステップＳ４；ＹＥＳ）、制御部６は、撮影動作を禁止するとともに、消灯されているカラー液晶表示部４に電源を供給させ、強制的にカラー液晶表示部４を点灯する（ステップＳ５）。そして、制御部６は、カラー液晶表示部４に、電池の残容量が殆どないことを示す警告情報を表示させ（ステップＳ６）、カラー液晶表示部４への電源供給を終了して、カラー液晶表示部４を消灯する（ステップＳ７）。
【００４１】
次に、図４を参照して、上述した電源制御処理において、カラー液晶表示部４に警告情報が表示された表示画面について説明する。図４（ａ）は、電源制御処理のステップＳ８において、警告情報が表示された表示画面の一例である。図４（ａ）に示すように、表示画面４１は、電池の残容量が少ないことを示すメッセージと、表示を終了することを示すメッセージが表示されている。また、表示画面４１の上部には、電池の残容量を示す電池アイコンが表示されている。
【００４２】
図４（ｂ）は、電源制御処理のステップＳ６において警告情報が表示された表示画面の一例である。図４（ｂ）に示すように、表示画面４２は、電池の残容量が殆どないことを示す大きな電池アイコンと、電池アイコンに重畳してバツ印が表示されている。これにより、カラー液晶表示部４が消灯された後に、撮影動作が不可能な電池残容量になった場合、電池の残容量がないことを一見して報知することができる。
【００４３】
以上のように、表示手段を１つだけ備えるデジタルカメラ１００において、制御部６は、所定時間毎に電源の残容量の検出を行い、検出された電池の残容量がメモリ５に設定されている第１の設定値以下になった場合、電池の残容量が残り少ないことを報知するメッセージと表示手段の表示を終了することを報知するメッセージを表示させた後に、カラー液晶表示部４を消灯する。また、電池の残容量が第２の設定値以下になった場合、撮影動作を禁止させ、電源部１１を制御して、カラー液晶表示部４に電源を供給させて、強制的にカラー液晶表示部４を点灯させる。そして、カラー液晶表示部４に電池の残容量がないことを報知する警告情報を表示させ、カラー液晶表示部４を消灯する。
【００４４】
したがって、電池の残容量が所定値以下になり、カラー液晶表示部４の備えるの電源供給が禁止された後に、さらに電池の残容量が低下し、撮影動作が行えなくなった場合に、強制的にカラー液晶表示部４を点灯させて、警告情報を表示させることにより、ユーザに電池の残容量がないことを報知することができる。
【００４５】
また、第１の設定値と、第２の設定値を設定し、段階的に警告情報をカラー液晶表示部４に表示させることにより、ユーザは電池の残容量がなくなる時期を予測して、事前に電池を用意することができ、速やかに電池の交換を行うことができる。これにより、電池切れのためにデジタルカメラ１００を駆動させることができず、良好な撮影機会を失うことがない。
【００４６】
また、カラー液晶表示部４を消灯させる際に、その旨を報知する警告情報を表示させるため、ユーザにカラー液晶表示部４が故障したと誤認識されることを防ぐことができる。或いは、撮影動作を禁止させて、カラー液晶表示部４に電池の残容量が殆どないことを報知する警告情報を表示させることにより、撮影動作が行えない場合でも、デジタルカメラ１００が故障したと誤認識されることを防ぐことができる。
【００４７】
なお、上述した本実施の形態における記述は、本発明に係る好適な撮影装置の一例であり、これに限定されるものではない。
例えば、電源制御処理において、予め第１の設定値と第２の設定値を設定する構成としたが、さらに第２の設定値より小さい値の第３の設定値を設定し、電池の残容量が第３の設定値以下になった場合に、図示しない音出力部からビープ音を出力させる構成であってもよい。これにより、ユーザがカラー液晶表示部４に表示された警告情報を見落とした場合であっても、電池切れにより撮影動作が行えないことを報知することができ、速やかにユーザに電池の交換を促すことができる。また、電池の残容量が第１の設定値以下になった場合、液晶表示装置は消灯せずバックライトのみ消灯し、第２の設定値以下になった場合にバックライトを点灯させるように構成しても良い。
【００４８】
或いは、第１の設定値より大きい値の第４の設定値を設定し、カラー液晶表示部４を消灯する前の段階で、電池の残容量が少ないことを報知しても良い。例えば、カラー液晶表示部４への電源供給は行い、カラー液晶表示部４の備えるバックライトには電源の供給を行わせないことにより、液晶表示だけは行わせ、バックライトのみ消灯させて、電池の残容量が少ないことを報知する構成であっても良い。これにより、ユーザに早めの電池交換を促して、一部機能を停止させることなく、全ての機能を駆動可能な状態でデジタルカメラ１００を利用することができる。
【００４９】
さらに、本実施の形態において、表示手段は、カラー液晶表示部４である場合を例として説明を行ったが、表示手段はこれに限らず、例えば、ＬＥＤ（Ｌｉｇｈｔ　Ｅｍｉｔｔｉｎｇ　Ｄｉｏｄｅ）、ＥＬディスプレイ（Ｅｌｅｃｔｒｏ　Ｌｕｍｉｎｅｓｃｅｎｃｅ　Ｄｉｓｐｌａｙ）、ＶＦＤ（蛍光表示管）、ＰＤＰ（Ｐｌａｓｍａ　Ｄｉｓｐｌａｙ　Ｐａｎｅｌ）等により構成されていてもよい。
【００５０】
その他、本実施の形態におけるデジタルカメラ１００の構成部分の細部構成、及び細部動作に関しても、本発明の趣旨を逸脱することのない範囲で適宜変更可能である。
【００５１】
【発明の効果】
請求項１記載の発明によれば、撮影装置に備えられる表示手段に電源を供給する電池の残容量が第１の設定値以下になり、表示手段へ電源が供給されなくなった場合であっても、さらに電池が消費され電池の残容量が第２の設定値以下になった場合、表示手段に電源を供給させることにより、強制的に表示手段を駆動させて、電池の残容量が殆どないことを警告することができる。
【００５２】
請求項２記載の発明によれば、請求項１記載の発明の効果に加えて、例えば、第１の設定値を撮影動作が行える程度の電池の残容量に設定することにより、電池の残容量が少なくなった場合に電池の消費を節約して、効率良く撮影動作を行うようにすることができる。また、第２の設定値を表示手段が駆動できる程度の電池の残容量に設定することにより、電池の残容量が殆どなくなった場合に、ユーザに電池の残容量が殆どないことを報知することができる。
【００５３】
請求項３記載の発明によれば、請求項１記載の発明の効果に加えて、他の表示手段を備えない撮影装置である場合、表示手段への電源が供給されなくなった後に、再度この表示手段を点灯させて、電池の残容量が殆どないことを報知する手段として活用することができる。
【００５４】
請求項４記載の発明によれば、請求項１記載の発明の効果に加えて、表示手段へ電源の供給しない制御を行う前に、警告情報を表示させることにより、電池の残容量が少ないことを警告できると共に、表示手段へ電源の供給を停止することを報知することができる。これにより、ユーザに表示手段が故障したと誤認識されることを防ぐことができる。
【００５５】
請求項５記載の発明によれば、請求項１又は４に記載の発明の効果に加えて、電池の残容量が殆どなくなってしまった場合に、表示手段に警告情報を表示させることにより、ユーザに電池の交換を速やかに促すことができる。
【図面の簡単な説明】
【図１】（ａ）本発明を適用した実施の形態におけるデジタルカメラ１００の外観構成を示す正面斜視図である。
（ｂ）デジタルカメラ１００の外観構成を示す背面斜視図である。
【図２】図１に示すデジタルカメラ１００の要部構成を示すブロック図である。
【図３】図２に示す制御部６により実行される電源制御処理を示すフローチャートである。
【図４】（ａ）図３のステップＳ８においてカラー液晶表示部４に表示される表示画面例を示す図である。
（ｂ）図３のステップＳ６においてカラー液晶表示部４に表示される表示画面例を示す図である。
【符号の説明】
１００　　デジタルカメラ
１　　レンズ
２　　ＣＣＤ
３　　信号処理部
４　　カラー液晶表示部
５　　メモリ
６　　制御部
７　　画像処理部
８　　Ｉ／Ｆ部
９　　記録メディア
１０　　入力部
１１　　電源部
１１ａ　電源検出回路
１２　　フラッシュ
１３　　ファインダ
１４ａ、１４ｂ　　ＬＥＤ
１５　　バリア蓋
１６　　電池蓋
【図１】
2004069922.tif 000003
【図２】
2004069922.tif 000004
【図３】
2004069922.tif 000005
【図４】
2004069922.tif 000006